(57)【要約】【課題】  光検出器に対する戻り光のスポット位置を調整することが出来る光ピックアップ装置を提供する。【解決手段】  入射されたレーザー光を第１光学系方向及び第２光学系方向に分離する偏光ビームスプリッタ３と、第１光学系に組み込まれているとともにレーザー光を第１光ディスクに設けられている信号記録層に集光させる第１対物レンズと、第２光学系に組み込まれているとともにレーザー光を第２光ディスクに設けられている信号記録層に集光させる第２対物レンズと、前記第１光ディスクの信号記録層から反射される戻り光及び第２光ディスクの信号記録層から反射される戻り光が照射される位置に設けられている光検出器１６とを備え、前記第１光学系または第２光学系の一方に前記光検出器１６に照射されて生成されるスポットを調整する調整レンズ１７を設ける。【選択図】  図１
2009093726.tif 000002
【特許請求の範囲】
【請求項１】
信号記録層とレーザー光が入射する表面との間に設けられている保護層の厚さが異なる第１光ディスク及び第２光ディスクに記録されている信号の再生動作を行うことが出来る光ピックアップ装置であり、レーザーダイオードから放射されたレーザー光が入射されるとともに入射されたレーザー光を第１光学系方向及び第２光学系方向に分離する偏光ビームスプリッタと、第１光学系に組み込まれているとともにレーザー光を第１光ディスクに設けられている信号記録層に集光させる第１対物レンズと、第２光学系に組み込まれているとともにレーザー光を第２光ディスクに設けられている信号記録層に集光させる第２対物レンズと、前記第１光ディスクの信号記録層から反射される戻り光及び第２光ディスクの信号記録層から反射される戻り光が照射される位置に設けられている光検出器とを備え、前記第１光学系または第２光学系の一方に前記光検出器に照射されて生成されるスポットを調整する調整レンズを設けたことを特徴とする光ピックアップ装置。
【請求項２】
調整レンズを光軸方向に対して垂直方向へ変位させることによって光検出器に対するスポットの生成位置を調整するようにしたことを特徴とする請求項１に記載の光ピックアップ装置。
【請求項３】
調整レンズを光軸方向へ変位させることによってデフォーカスを調整するようにしたことを特徴とする請求項１に記載の光ピックアップ装置。
【請求項４】
調整レンズを光軸方向に対して垂直方向へ変位させることによって光検出器に対するスポットの生成位置を調整した後調整レンズを光軸方向へ変位させることによってデフォーカスを調整するようにしたことを特徴とする請求項１に記載の光ピックアップ装置。
【請求項５】
第１光ディスクの保護層が第２光ディスクの保護層と比較して薄いとき、調整レンズを第２光学系に組み込むようにしたことを特徴とする請求項１に記載の光ピックアップ装置。
【請求項６】
第１光学系に対する光検出器の位置を調整固定した後調整レンズの位置調整を行うようにしたことを特徴とする請求項５に記載の光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格やＨＤ  ＤＶＤ（High Density Digital Versatile Disk）規格の光ディスクを使用するものが開発されている。
【０００４】
ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作行うレーザー光としては、波長が６５０ｎｍの赤色光が使用されている。
【０００５】
そして、前記ＣＤ規格の光ディスクにおける信号記録層の上面、即ち信号記録層とレーザー光が入射する表面との間に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００６】
斯かるＣＤ規格及びＤＶＤ規格の光ディスクに対して、Ｂｌｕ−ｒａｙ規格やＨＤ  ＤＶＤ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と規定されている。
【０００８】
一方、ＨＤ  ＤＶＤ規格の光ディスクにおける信号記録層の上面に設けられている保護層の厚さは、０．６ｍｍであり、この信号記録層から信号の読み出し動作を行うために使用される対物レンズの開口数は、０．６５と規定されている。
【０００９】
前述したようにＢｌｕ−ｒａｙ規格やＨＤ  ＤＶＤ規格の光ディスクに記録されている信号の読み出し動作を行うためのレーザー光としては、波長が４０５ｎｍの青紫色光を使用することが出来るので、レーザーダイオードを兼用することによって両規格の光ディスクから信号の読み出し動作を行うことが出来る光ピックアップ装置を作ることが出来る。
【００１０】
しかしながら、両光ディスクから信号を読み出すためには、信号記録層の位置が大きく相違し、対物レンズの必要とする開口数が大きく異なるため、各光ディスクに対応させて開口数を切り換える必要があり、斯かる動作を行うことが出来る光ピックアップ装置が開発されている。（特許文献１参照。）
また、最近では、前述したＣＤ規格及びＤＶＤ規格の光ディスクだけでなく、Ｂｌｕ−ｒａｙ規格やＨＤ  ＤＶＤ規格の光ディスクも使用することが出来る光ディスク装置の製品化が行われている。斯かる光ディスク装置に使用される光ピックアップ装置は、当然使用可能な規格の光ディスクに設けられている信号記録層から信号の読み出し動作や該信号記録層への信号の記録動作を行うことが出来るように構成されることになる。
【００１１】
斯かる光ピックアップ装置は、前述した波長のレーザー光を単一の対物レンズにて光ディスクの信号記録層に照射させることが困難であるため、例えばＣＤ規格及びＤＶＤ規格の光ディスクにレーザー光を照射する対物レンズと例えばＢｌｕ−ｒａｙ規格の光ディスクにレーザー光を照射する対物レンズの２つの対物レンズが使用されることになる。（特許文献２参照。）
【特許文献１】特開２００６−１７２６０５号公報
【特許文献２】特開平１１−２３９６０号公報
【発明の開示】
【発明が解決しようとする課題】
【００１２】
前述したようにＢｌｕ−ｒａｙ規格やＨＤ  ＤＶＤ規格の光ディスクに記録されている信号の読み出し動作を行うためのレーザー光としては、波長が４０５ｎｍの青紫色光を使用することが出来るので、レーザーダイオードを兼用することによって両規格の光ディスクから信号の読み出し動作を行うことが出来る光ピックアップ装置を作ることが出来る。
【００１３】
また、斯かる両規格の光ディスクは、光ディスクの保護層の厚さが異なるだけでなく対物レンズの開口数が異なるため、各規格の光ディスクに対応した２つの対物レンズを使用する光ピックアップが開発されている。
【００１４】
２つの対物レンズが組み込まれている光ピックアップ装置において、第１対物レンズ及び第２対物レンズは、支持ワイヤーにて光ディスクの信号面方向及び光ディスクの径方向へ変位可能に支持されているレンズホルダー上に固定されており、前記レンズホルダーの変位動作によってレーザー光を光ディスクに設けられている信号記録層にスポットとして集光させるフォーカス制御動作及び信号記録層に設けられている信号トラック上にスポットを追従させるトラッキング制御動作を行うように構成されている。
【００１５】
光ピックアップ装置におけるフォーカス制御動作やトラッキング制御動作は、光ディスクに設けられている信号記録層から反射される戻り光と呼ばれるレーザー光を光検出器に照射させ、該光検出器から得られるフォーカスエラー信号やトラッキングエラー信号を利用して行うように構成されている。
【００１６】
２つの対物レンズが組み込まれた光ピックアップ装置では、各々の対物レンズから得られる戻り光を光検出器に照射させることによって各光ディスクに対するフォーカスエラー信号やトラッキングエラー信号を生成するように構成されるが、この光検出器を兼用使用するように構成された光ピックアップ装置では、一方の対物レンズから得られる戻り光に適した位置に光検出器の取り付け位置を決定すると他方の対物レンズから得られる戻り光に対して最適な位置にならないという問題がある。
【００１７】
本発明は、斯かる問題を解決することが出来る光ピックアップ装置を提供しようとするものである。
【課題を解決するための手段】
【００１８】
本発明は、レーザーダイオードから放射されたレーザー光が入射されるとともに入射されたレーザー光を第１光学系方向及び第２光学系方向に分離する偏光ビームスプリッタと
、第１光学系に組み込まれているとともにレーザー光を第１光ディスクに設けられている信号記録層に集光させる第１対物レンズと、第２光学系に組み込まれているとともにレーザー光を第２光ディスクに設けられている信号記録層に集光させる第２対物レンズと、前記第１光ディスクの信号記録層から反射される戻り光及び第２光ディスクの信号記録層から反射される戻り光が照射される位置に設けられている光検出器とを備えた光ピックアップ装置において、前記第１光学系または第２光学系の一方に前記光検出器に照射されて生成される照射スポットを調整する調整レンズを設けたことを特徴とするものである。
【００１９】
また、本発明は、調整レンズを光軸方向に対して垂直方向へ変位させることによって光検出器に対する照射スポットの生成位置を調整するようにしたことを特徴とするものである。
【００２０】
そして、本発明は、調整レンズを光軸方向へ変位させることによってデフォーカスを調整するようにしたことを特徴とするものである。
【００２１】
更に、本発明は、調整レンズを光軸方向に対して垂直方向へ変位させることによって光検出器に対する照射スポットの生成位置を調整した後調整レンズを光軸方向へ変位させることによってデフォーカスを調整するようにしたことを特徴とするものである。
【００２２】
また、本発明は、第１光ディスクの保護層が第２光ディスクの保護層と比較して薄いとき、調整レンズを第２光学系に組み込むようにしたことを特徴とするものである。
【００２３】
そして、本発明は、第１光学系に対する光検出器の位置を調整固定した後調整レンズの位置調整を行うようにしたことを特徴とするものである。
【発明の効果】
【００２４】
本発明の光ピックアップ装置は、レーザーダイオードから放射されたレーザー光が入射されるとともに入射されたレーザー光を第１光学系方向及び第２光学系方向に分離する偏光ビームスプリッタと、第１光学系に組み込まれているとともにレーザー光を第１光ディスクに設けられている信号記録層に集光させる第１対物レンズと、第２光学系に組み込まれているとともにレーザー光を第２光ディスクに設けられている信号記録層に集光させる第２対物レンズと、前記第１光ディスクの信号記録層から反射される戻り光及び第２光ディスクの信号記録層から反射される戻り光が照射される位置に設けられている光検出器に加え、前記第１光学系または第２光学系の一方に前記光検出器に照射されて生成される照射スポットを調整する調整レンズを設けたので、第１光学系及び第２光学系に対する光検出器による検出動作を正確に行うことが出来る。
【実施例】
【００２５】
図１は本発明の光ピックアップ装置の光学系を示す概略図、図２及び図３は光ディスクと光学系との関係を示す概略図、図４、図５及び図６は光検出器と照射スポットとの関係を示す説明図である。
【００２６】
本実施例では、Ｂｌｕ−ｒａｙ規格の光ディスク(第１光ディスクＤ１)とＨＤ  ＤＶＤ規格の光ディスク(第２光ディスクＤ２)に対して使用することが出来る光ピックアップ装置について説明する。
【００２７】
図１において、Ｌは波長が４０５ｎｍ、即ち青紫色光であるレーザー光を放射するレーザーダイオードであり、本実施例ではＳ方向の直線偏光光を放射するように構成されている。１は前記レーザーダイオードＬから放射されるレーザー光が入射されるとともに該レーザー光を０次光、＋１次光及び−１次光に分離する回折格子、２は回折格子１を透過し
たレーザー光が入射されるとともにＳ方向の直線偏光光をＰ方向の直線偏光光に変換する１／２波長板であり、第１光ディスクＤ１に対応した動作を行う場合には変換動作を行わず第２光ディスクＤ２に対応した動作を行う場合に変換動作を行う状態になるように構成されている。
【００２８】
斯かる１／２波長板２による偏光方向の偏光選択動作は機械的に波長板を移動させる方法や液晶素子を電気的に制御する方法にて構成することが出来るので、その説明は省略する。
【００２９】
３は前記回折格子１及び１／２波長板２を透過した信号が入射される偏光ビームスプリッタであり、Ｓ方向の直線偏光光は第１光学系Ａのレーザー光として反射させるとともに前記１／２波長板２にてＰ方向の直線偏光光に変換されたレーザー光は第２光学系Ｂのレーザー光として透過させる制御膜３ａが設けられている。即ち、前記偏光ビームスプリッタ３に設けられている制御膜３ａは、Ｓ偏光光のレーザー光は反射させ、Ｐ偏光光のレーザー光は透過させる特性を有するように構成されている。
【００３０】
４は前記偏光ビームスプリッタ３に設けられている制御膜３ａにて反射されたレーザー光及び第１光ディスクＤ１に設けられている信号記録層Ｌ１から反射される戻り光が入射されるとともに第１光学系Ａに組み込まれている第１光学系１／４波長板であり、入射されるレーザー光を直線偏光光から円偏光光、また円偏光光から直線偏光光に変換する作用を成すものである。
【００３１】
５は前記第１光学系１／４波長板４を透過したレーザー光が入射されるとともに第１光学系Ａに組み込まれている第１コリメートレンズであり、入射されたレーザー光を平行光にする作用を成すとともに第１光ディスクＤ１の保護層による球面収差を補正するために最適な位置に調整固定されるように構成されている。
【００３２】
６は前記第１コリメートレンズ５にて平行光に変換されたレーザー光が入射されるとともに該レーザー光を反射させる第１反射ミラー、７は前記第１反射ミラー６にて反射されたレーザー光が入射される第１立ち上げミラーであり、図２に示したようにレーザー光を第１光ディスクＤ１に設けられている信号記録層Ｌ１に集光させるべく設けられている第１対物レンズ８方向へ反射させる作用を成すものである。
【００３３】
前述したように第１光ディスクＤ１を使用する場合に作用する第１光学系Ａは、第１光学系１／４波長板４、第１コリメートレンズ５、第１反射ミラー６、第１立ち上げミラー７及び第１対物レンズ８にて構成されている。
【００３４】
９は前記偏光ビームスプリッタ３に設けられている制御膜３ａを透過したレーザー光及び第２光ディスクＤ２に設けられている信号記録層Ｌ２から反射される戻り光が入射されるとともに第２光学系Ｂに組み込まれている第２光学系１／４波長板であり、入射されるレーザー光を直線偏光光から円偏光光、また円偏光光から直線偏光光に変換する作用を成すものである。
【００３５】
１０は前記第２光学系１／４波長板９を透過したレーザー光が入射されるとともに第２光学系Ｂに組み込まれている第２反射板、１１は前記第２反射板１０にて反射されたレーザー光が入射される第２コリメートレンズであり、入射されたレーザー光を平行光にする作用を成すとともに第２光ディスクＤ２の保護層による球面収差を補正するために最適な位置に調整固定されるように構成されている。
【００３６】
１２は前記第２コリメートレンズ１１にて平行光に変換されたレーザー光が入射される
とともに該レーザー光を反射させる第３反射ミラー、１３は前記第３反射ミラー１２にて反射されたレーザー光が入射される第２立ち上げミラーであり、図３に示したようにレーザー光を第２光ディスクＤ２に設けられている信号記録層Ｌ２に集光させるべく設けられている第２対物レンズ１４方向へ反射させる作用を成すものである。
【００３７】
前述したように第２光ディスクＤ２を使用する場合に作用する第２光学系Ｂは、第２光学系１／４波長板９、第２反射ミラー１０、第２コリメートレンズ１１、第３反射ミラー１２、第２立ち上げミラー１３及び第２対物レンズ１４にて構成されている。
【００３８】
斯かる構成において、第１光学系Ａを構成する第１対物レンズ８にて第１光ディスクＤ１の信号記録層Ｌ１に集光されたレーザー光は該信号記録層Ｌ１から戻り光として反射されて該第１対物レンズ８に入射される。このようにして、前記第１対物レンズ８に入射された戻り光は第１立ち上げミラー７、第１反射ミラー６、第１コリメートレンズ５及び第１光学系１／４波長板４を介して前記偏光ビームスプリッタ３に入射される。
【００３９】
このようにして偏光ビームスプリッタ３に入射される第１光学系Ａからの戻り光は、前記第１光学系１／４波長板４によって円偏光光からＰ方向の直線偏光光に変換されているので、該偏光ビームスプリッタ３に設けられている制御膜３ａを透過し、矢印Ｐ方向へ出射されることになる。
【００４０】
また、斯かる構成において、第２光学系Ｂを構成する第２対物レンズ１４にて第２光ディスクＤ２の信号記録層Ｌ２に集光されたレーザー光は該信号記録層Ｌ２から戻り光として反射されて該第２対物レンズ１４に入射される。このようにして、前記第２対物レンズ１４に入射された戻り光は第２立ち上げミラー１３、第３反射ミラー１２、第２コリメートレンズ１１、第２反射ミラー１０及び第２光学系１／４波長板９を介して前記偏光ビームスプリッタ３に入射される。
【００４１】
このようにして偏光ビームスプリッタ３に入射される第２光学系Ｂからの戻り光は、前記第２光学系１／４波長板９によって円偏光光からＳ方向の直線偏光光に変換されているので、該偏光ビームスプリッタ３に設けられている制御膜３ａにて反射され、矢印Ｐ方向へ出射されることになる。
【００４２】
１５は前記偏光ビームスプリッタ３に設けられている制御膜３ａを透過した第１光学系Ａからのレーザー光及び該制御膜３ａにて反射された第２光学系Ｂからのレーザー光が入射されるアナモフィックレンズであり、シリンドリカル面、平面、凹曲面または凸曲面等が入射面側及び出射面側に形成されている。
【００４３】
斯かるアナモフィックレンズ１５は戻り光に非点収差を発生させることによってフォーカス制御動作に使用されるフォーカスエラー信号を生成させるために設けられている。１６は前記アナモフィックレンズ１５を通過した戻り光が集光されて照射される位置に設けられている光検出器であり、フォトダイオードが配列された４分割センサー等にて構成されている。斯かる光検出器１６を構成する４分割センサーの構造及び非点収差法によるフォーカスエラー信号の生成動作等は周知であり、その説明は省略する。
【００４４】
１７は前記第２光学系Ｂを構成する第２光学系１／４波長板９と第２反射ミラー１０との間に設けられている調整レンズであり、光軸方向及び光軸に対して垂直方向への変位を可能に設けられ、後述する調整動作によって最適となる位置にて接着固定されるように構成されている。
【００４５】
以上に説明したように本発明に係る光ピックアップ装置の光学系は構成されているが、
次に斯かる構成の光ピックアップ装置における信号の読み取り動作について説明する。
【００４６】
第１光ディスクＤ１を使用する場合には、該第１光ディスクＤ１に設けられている信号記録層Ｌ１の位置と第１対物レンズ８との位置関係は図２に示した状態になる。斯かる第１光ディスクＤ１を使用する場合には、レーザーダイオードＬに駆動電流が供給され、該レーザーダイオードＬから青紫色のレーザー光が放射される。
【００４７】
前記レーザーダイオードＬから放射されたＳ偏光光であるレーザー光は、回折格子２に入射され、０次光、＋１次光及び−１次光に分離された後１／２波長板２に入射される。第１光ディスクＤ１を使用する場合には、前記１／２波長板２は偏光動作を行わない状態にあるので、レーザー光はＳ偏光光のままで前記偏光ビームスプリッタ３に入射される。斯かるＳ偏光光が前記偏光ビームスプリッタ３に入射されると、該偏光ビームスプリッタ３に設けられている制御膜３ａにて第１光学系Ａ方向へ反射されることになる。
【００４８】
前記制御膜３ａにて反射されたレーザー光は、第１光学系１／４波長板４に入射されて直線偏光光から円偏光光に変換された後第１コリメートレンズ５に入射される。該第１コリメートレンズ５に入射されたレーザー光は、該第１コリメートレンズ５の働きによって平行光に変換される。前記第１コリメートレンズ５によって平行光に変換されたレーザー光は、第１反射ミラー６にて反射された後第１立ち上げミラー７に入射される。
【００４９】
前記第１立ち上げミラー７に入射されたレーザー光は、図２に示すように入射方向に対して直角になる方向に反射されて第１対物レンズ８に入射される。前記第１対物レンズ８に入射されたレーザー光は該第１対物レンズ８の集光動作によって第１光ディスクＤ１の信号記録層Ｌ１にスポットとして照射されることになる。このようにして、レーザーダイオードＬから放射されるレーザー光は、第１光ディスクＤ１の信号記録層Ｌ１に所望のスポットとして照射されるが、この場合における第１対物レンズ８の開口数は０．８５になるように設定されている。
【００５０】
前述した動作によってレーザー光の第１光ディスクＤ１に設けられている信号記録層Ｌ１への照射動作が行われるが、斯かる照射動作が行われるとき、該信号記録層Ｌ１から反射される戻り光が第１対物レンズ８に第１光ディスクＤ１側から入射される。前記第１対物レンズ８に入射された戻り光は、第１立ち上げミラー７、第１反射ミラー６、第１コリメートレンズ５及び第１光学系１／４波長板４を通して偏光ビームスプリッタ３に入射される。前記偏光ビームスプリッタ３に入射される戻り光は、Ｐ方向の直線偏光光に変換されているので、該偏光ビームスプリッタ３に設けられている制御膜３ａを透過することになる。
【００５１】
前記制御膜３ａを透過した第１光学系Ａからの戻り光は、アナモフィックレンズ１５に入射され、該アナモフィックレンズ１５の働きによって非点収差が発生せしめられる。前記アナモフィックレンズ１５によって非点収差が発生せしめられた戻り光は、該アナモフィックレンズ１５の集光動作によって光検出器１６に設けられている４分割センサー等のセンサー部に照射される。このようにして戻り光が光検出器１６に照射される結果、該光検出器１６に組み込まれているセンサー部に照射されるスポット形状の変化を利用して周知のようにフォーカスエラー信号の生成動作が行われる。斯かるフォーカスエラー信号を利用して第１対物レンズ８を第１光ディスクＤ１の信号面方向へ変位させることによってフォーカス制御動作を行うことが出来る。
【００５２】
以上に説明したように第１光ディスクＤ１を使用する場合の動作、即ち光ピックアップ装置を構成する第１光学系Ａを使用する場合の動作は行われるが、次に第２光ディスクＤ２を使用する場合の動作、即ち第２光学系Ｂを使用する場合の動作について説明する。
【００５３】
第２光ディスクＤ２を使用する場合には、該第２光ディスクＤ２に設けられている信号記録層Ｌ２の位置と第２対物レンズ１４との位置関係は図３に示した状態になる。斯かる第２光ディスクＤ２を使用する場合には、第１光ディスクＤ１と同様に前記レーザーダイオードＬに駆動電流が供給され、該レーザーダイオードＬから青紫色のレーザー光が放射される。
【００５４】
前記レーザーダイオードＬから放射されたＳ偏光光であるレーザー光は、回折格子２に入射され、０次光、＋１次光及び−１次光に分離された後１／２波長板２に入射される。第１光ディスクＤ１を使用する場合には、前記１／２波長板２は偏光動作を行う状態にあるので、レーザー光はＳ偏光光からＰ偏光光に変換された後前記偏光ビームスプリッタ３に入射される。斯かるＰ偏光光は前記偏光ビームスプリッタ３に設けられている制御膜３ａを透過するので、入射レーザー光は第２光学系Ｂ方向へ出射されることになる。
【００５５】
前記制御膜３ａを透過したレーザー光は、第２光学系１／４波長板９に入射されて直線偏光光から円偏光光に変換された後調整レンズ１７を通して第２反射ミラー１０に照射される。該第２反射ミラー１０に照射されたレーザー光は反射された後第２コリメートレンズ１１に入射される。該第２コリメートレンズ１１に入射されたレーザー光は、該第２コリメートレンズ１１の働きによって平行光に変換される。前記第２コリメートレンズ１１によって平行光に変換されたレーザー光は、第３反射ミラー１２にて反射された後第２立ち上げミラー１３に入射される。
【００５６】
前記第２立ち上げミラー１３に入射されたレーザー光は、図３に示すように反射されて第２対物レンズ１４に入射される。前記第２対物レンズ１４に入射されたレーザー光は該第２対物レンズ１４の集光動作によって第２光ディスクＤ２の信号記録層Ｌ２にスポットとして照射されることになる。このようにして、レーザーダイオードＬから放射されるレーザー光は、第２光ディスクＤ２の信号記録層Ｌ２に所望のスポットとして照射されるが、この場合における第１対物レンズ８の開口数は０．６５になるように設定されている。
【００５７】
前述した動作によってレーザー光の第２光ディスクＤ２に設けられている信号記録層Ｌ２への照射動作が行われるが、斯かる照射動作が行われるとき、該信号記録層Ｌ２から反射される戻り光が第２対物レンズ１４に第２光ディスクＤ２側から入射される。前記第２対物レンズ１４に入射された戻り光は、第２立ち上げミラー１３、第３反射ミラー１２、第２コリメートレンズ１１、第２反射ミラー１０及び第２光学系１／４波長板９を通して偏光ビームスプリッタ３に入射される。前記偏光ビームスプリッタ３に入射される戻り光は、Ｓ方向の直線偏光光に変換されているので、該偏光ビームスプリッタ３に設けられている制御膜３ａにて反射されることになる。
【００５８】
前記制御膜３ａにて反射された第２光学系Ｂからの戻り光は、アナモフィックレンズ１５に入射され、該アナモフィックレンズ１５の働きによって非点収差が発生せしめられる。前記アナモフィックレンズ１５によって非点収差が発生せしめられた戻り光は、該アナモフィックレンズ１５の集光動作によって光検出器１６に設けられている４分割センサー等のセンサー部に照射される。このようにして戻り光が光検出器１６に照射される結果、該光検出器１６に組み込まれているセンサー部に照射されるスポット形状の変化を利用して周知のようにフォーカスエラー信号の生成動作が行われる。斯かるフォーカスエラー信号を利用して第１対物レンズ８を第１光ディスクＤ１の信号面方向へ変位させることによってフォーカス制御動作を行うことが出来る。
【００５９】
前述したように本実施例における第１光ディスクＤ１及び第２光ディスクＤ２を使用する場合の動作は行われるが、次に本発明の要旨である調整レンズ１７の動作について説明
する。
【００６０】
光ピックアップ装置を構成する光学部品を各部品のために設けられている取り付け位置へ接着固定する動作が行われるが、斯かる組み立て動作は第１光ディスクＤ１に対応して設けられている第１光学系Ａに対して行われる。
【００６１】
即ち、斯かる組み立て動作は、レーザーダイオードＬ、回折格子１、１／２波長板２、偏光ビームスプリッタ３、第１光学系１／４波長板４、第１コリメートレンズ５、第１反射板６、第１立ち上げミラー７、第１対物レンズ８、アナモフィックレンズ１５及び光検出器１６を最適な位置に対して調整固定することによって行われる。
【００６２】
斯かる組み立て調整作業によって各光学部品が第１光学系Ａに対して最適な位置に接着固定された場合には、光検出器１６を構成する４分割センサー部に戻り光が照射されて生成される照射スポットは、図４に示すようになる。即ち、戻り光から生成される照射スポットは、前記光検出器１６を構成する４分割センサー部の中心部に正確に位置されるとともにフォーカス調整が正確に行われた円形状になる。
【００６３】
前述したように第１光学系Ａ及び第１光学系Ａに対して作用する各光学部品の調整固定動作が完了した後に第２光ディスクＤ２に対応して設けられている第２光学系Ｂに対する組み立て動作が行われる。
【００６４】
斯かる組み立て動作は、第２光学系１／４波長板９、第２反射ミラー１０、第２コリメートレンズ１１、第３反射板１２、第２立ち上げミラー１３及び第２対物レンズ１４を最適な位置に対して調整固定することによって行われるが、調整レンズ１７に対する固定動作は後で行われる。
【００６５】
図５の(Ａ)、(Ｂ)、(Ｃ)及び(Ｄ)は、光検出器１６に設けられている４分割センサーに対する第２光ディスクＤ２からの戻り光によって生成される照射スポットの位置を示すものであり、照射スポットの位置がＸ及びＹ軸方向へずれた状態を示す。また、図６の(Ａ)及び(Ｂ)は戻り光のフォーカスがずれている、即ちデフォーカスの状態を示すものである。
【００６６】
光検出器１６に設けられている４分割センサーに対する第２光ディスクＤ２からの戻り光によって生成される照射スポットの位置や状態が図５または図６に示すようにずれている場合やデフォーカス状態の場合には、第２光ディスクＤ２に対するフォーカス制御動作等を正確に行うことが出来ないことになる。
【００６７】
本発明は、斯かる問題を解決するために第２光学系Ｂに組み込まれている調整レンズ１７を光軸に対して直角方向へ変位させるとともに光軸方向へ変位させるように構成されている。
【００６８】
即ち、前記調整レンズ１７を光軸に対して直角に変位させることによって図５に示すようにＸＹ軸方向へずれている照射スポットの位置を図４に示す中心位置に調整移動させることが出来る。また、前記調整レンズ１７を光軸方向へ変位させることによって図６に示すようにデフォーカスに伴って楕円形状に変化している照射スポットの形状を円形にすることが出来る。
【００６９】
前記調整レンズ１７を光軸に対して直角方向及び光軸方向へ変位させ、光検出器１６に設けられている４分割センサー上に生成される照射スポットが図５に示す状態になるように変位調整した状態にて該調整レンズ１７を接着固定することによって第２光学系Ｂの組
み立て調整動作を行うことが出来る。
【００７０】
前述したように本発明の光ピックアップ装置は、第１光学系Ａの組み立て調整動作を行った後に第２光学系Ｂに組み込まれている調整レンズ１７による調整動作を行うことによって光検出器１６に対する戻り光から生成される照射スポットの位置及びフォーカス制御動作を最適な状態にすることが出来るので、第１光ディスクＤ１及び第２光ディスクＤ２に対するフォーカス制御動作及び信号再生動作等を正確に行うことが出来る。
【００７１】
尚、本実施例では、調整レンズ１７を第２光学系Ｂに組み込んだが第１光学系に組み込むことは勿論可能である。そして、この場合には、第２光学系Ｂの組み立て動作を行った後に第１光学系Ｂの組み立て動作が行われることになる。
【００７２】
第１光ディスクＤ１と第２光ディスクＤ２の規格とを比較すると第１光ディスクＤ１の方が短焦点であり、また開口数が大きく設定されているので、第１光学系Ａを構成する光学部品の取り付け位置等の精度を厳格にする必要がある。従って、本実施例のように第２光学系Ｂに調整レンズ１７を組み込み、第１光学系Ａの組み立て調整動作を先に行った後に第２光学系Ｂの組み立て動作を行うようにした方が良いことになる。
【００７３】
また、調整レンズ１７に対する調整動作は、該調整レンズ１７を光軸に対して直角方向へ変位させて４分割センサーに対する照射スポットのＸＹ方向の位置ずれ調整動作を行った後に該調整レンズ１７を光軸方向へ変位させてデフォーカス調整を行う方が調整動作を容易に行うことが出来る。即ち、調整レンズ１７の光軸に対する直角方向への変位動作に対して光軸方向への変位動作の方が位置の調整範囲が狭くて簡単であるからである。
【００７４】
更に、本実施例では、レーザーダイオードＬからＳ方向の直線偏光光を放射させる場合について説明したが、Ｐ方向の直線偏光光を放射させるレーザーダイオードを使用する場合にも適応させることは出来る。また、Ｓ偏光光を偏光ビームスプリッタ３に設けられている制御膜３ａにて反射させるようにしたが、Ｓ偏光光を透過させ、Ｐ偏光光を反射させるように構成することも出来る。
【図面の簡単な説明】
【００７５】
【図１】本発明の光ピックアップ装置の光学系を示す概略図である。
【図２】本発明に係る光ディスクと光学系との関係を示す概略図である。
【図３】本発明に係る光ディスクと光学系との関係を示す概略図である。
【図４】本発明に係る光検出器と照射スポットとの関係を示す説明図である。
【図５】本発明に係る光検出器と照射スポットとの関係を示す説明図である。
【図６】本発明に係る光検出器と照射スポットとの関係を示す説明図である。
【符号の説明】
【００７６】
２      １／２波長板
３      偏光ビームスプリッタ
５      第１コリメートレンズ
７      第１立ち上げミラー
８      第１対物レンズ
１１    第２コリメートレンズ
１３    第２立ち上げミラー
１４    第２対物レンズ
１５    アナモフィックレンズ
１６    光検出器
Ｌ      レーザーダイオード
【図１】
2009093726.tif 000003
【図２】
2009093726.tif 000004
【図３】
2009093726.tif 000005
【図４】
2009093726.tif 000006
【図５】
2009093726.tif 000007
【図６】
2009093726.tif 000008